(57)【要約】【課題】片手で固定したり緩めたりすることができる改良された留め具を提供することである。本発明の他の目的は、一箇所だけでの作動を必要とする解除機構を有する留め具を提供することである。【解決手段】本発明は、２つの部品を互いに接続する留め具であって、第１留め具部品（１）、および、第２留め具部品（２）を備え、固定される第１留め具部品（１）に対して、そしてその突出部（３）から、前記第２留め具部品（２）に、開口部（３）があり、その形は、前記突出部（３）の外形に密接に接続し、それにより、前記第２留め具部品（２）が突出部（３）を通過することができるようになっており、また、バネ付勢手段（８、１０、１１）に、前記第２留め具部品（２）を前記突出部（３）上で保持する手段を備え、第２留め具部品の開口部に、縁または溝（５）が構成されている留め具に関する。留め具は、部品が解除されようとする際に、部品が互いに離れるように移動するように設計されたバネ付勢式手段（６、７）を有している。シリンダ内に配置されたボタン（４）は、留め具の部品が互いに解除されようとする場合の作動のために設置される。【選択図】図１
2009522523.tif 000002
【特許請求の範囲】
【請求項１】
第１留め具部品（１）と第２留め具部品（２）とを備えて、該二つの部品を互いに接続する留め具であって、
前記第２留め具部品（２）は、固定される第１留め具部品（１）に対向して、かつ、前記第１留め具部品（１）に設けられた突出部（３）の外形に密接して接続される形状の開口部（３）を有し、
前記突出部（３）は、前記第２留め具を保持するバネ付勢手段（８、１０、１１）を有し、
前記開口部により、前記第２留め具（２）は前記突出部（３）と前記バネ付勢手段（８、１０、１１）とを通過することができるように構成されており、
前記各留め具部品が互いに解除されるときに用いられるボタン（４）をシリンダ内に備えたことを特徴とする
留め具。
【請求項２】
前記第２留め具部品の前記開口部に構成された縁または溝（５）に係合するため、前記シリンダ内に構成された前記バネ付勢手段は、環状のバネに２つの正反対の突状片（１１、１２）を含むことを特徴とする
請求項１に記載の留め具。
【請求項３】
前記バネ付勢手段（８）を作用させるために円柱状部（３）内に、ボタン（４）を配置したことを特徴とする
請求項１又は２に記載の留め具。
【請求項４】
ロッド（１６、１７）が前記ボタンの下側に配置されており、
前記ロッドが前記バネ付勢手段（８）に向かう面取りされた表面を有することを特徴する
請求項３に記載の留め具。
【発明の詳細な説明】
【技術分野】
【０００１】
本発明は、少なくとも２つの部品、例えば、ハーネスのベルト同士を互いに接続するための留め具に関する。
【背景技術】
【０００２】
本発明によるタイプの留め具は、異なる様々な状況における、ベルト、バンド、および、他の部品の着脱可能な接続部として利用することができる。様々な実施の形態において、留め具は、接続される側の部品の移動がより大きく、またはより小さくなることが可能となり、そのため様々な用途において存在し得る要件に適用することができる。
【発明の開示】
【発明が解決しようとする課題】
【０００３】
本発明の目的は、片手で固定したり緩めたりすることができる改良された留め具を提供することである。本発明の他の目的は、一箇所だけでの作動を必要とする解除機構を有する留め具を提供することである。
【課題を解決するための手段】
【０００４】
本発明による留め具は、２つの部品、すなわち、固定、および、解除機構を有する第１留め具部品と、該第１留め具部品の機構と組み合わされる第２留め具部品とを有する。この手段は、この機構の可動部品のうち１つ以上の部品が介入し得る構造の第１の例に含まれる。組み合わされる媒体は、また、好ましくは、２つの部品が互いから解除される場合に分離を容易にする構造も含む。
【発明の効果】
【０００５】
本発明により、片手で固定したり緩めたりすることができる改良された留め具を提供することができる。さらに、一箇所だけでの作動を必要とする解除機構を有する留め具を提供することができる。
【発明を実施するための最良の形態】
【０００６】
本実施形態の留め具は、第２留め具部品を保持し、および、解除する機構を有する第１留め具部品を備えている。図に示すのは、所望の箇所に接地可能な板状の第１留め具部品である。  
第１留め具部品、および／または、第２留め具部品は、以下に詳述するように、より大きな部分に組み込まれた一体的な部品として構成してもよい。
【０００７】
第１留め具部品は、中央部３を有し、該中央部３は、図に示す好適な実施例においては、第１留め具部品に対して直角をなす円筒状シリンダ３である。該シリンダ３の上側は、プッシュボタン４の表面と隣接している。
【０００８】
第２留め具部品は、円形の孔部１３を有するプレート２として図に示されており、孔部１３の直径は、シリンダ３の直径よりも幾分か大きい。孔部１３は、内部に上端部１４、および、下端部１５を有する溝５を備えている。
【０００９】
機構は、シリンダ内部に位置するバネ付勢ロック部材８を有して構成し、該バネ付勢ロック部材８は、シリンダ内部の底面上に接地されている、或いは、中間に配されるよう接続されている。
【００１０】
ロック部材は、環形状または略環形状のバネと、面取りされた外側端部１１，１２を有する２つの突状片９，１０からなる。突状片９，１０は、シリンダ３の表面の開口部に伸縮自在に配置される。突状片９，１０の下にはまた、他の２つのバネ付勢式突状片６，７が配置されている。
【００１１】
第２留め具部品が、シリンダ３に上方から差し込まれ、第１留め具部品の板状部１に向かって押し込まれる場合、ロック部材の突状片９，１０は、バネの動作の下で、中心に向かって押し込まれ、また、第２留め具部品が第１留め具部品のバネ付勢式突状片６，７に向かって下方向に通過することを許容する。
【００１２】
これらのバネ付勢式突状片６，７が幾分か押し下げられるので、突状片９，１０が溝５に押し込まれ、第２留め具部品をシリンダ３に対して所定の位置に保持し得る。シリンダ３が円形なので、第２留め具部品は、この位置で、シリンダ３に対して自在に回転することができる。固定、および、解除は、任意の位置で行うことができる。
【００１３】
プッシュボタン４は、幾分か面取りされた端部を有する下方向に伸びるロッド１６，１７を備えている。ロッド１６，１７の数は、好ましくは４本で、並行する対を成しており、バネ付勢式リング８の接触表面１８，１９，２０，２１に向かって傾倒している。ボタン４が下向きに押されるとき、バネは互いに押され、ロック部材の突状片９，１０は、元へ戻るように引っ張られて、第２留め具部品が第１留め具部品から解除される。第１留め具部品のバネ付勢式突状片６，７は、第２留め具部品を幾分か上向きに押して、プッシュボタン４にかかる圧力が止まったときに、ロック部材の突状片９，１０が溝５に再度押し込まれることなく、第１留め具部品と第２留め具部品とが互いに分離した状態に保つようにする。
【００１４】
プッシュボタン４は、伸縮自在に円形部品２をつかむスナップ構造によって、所望の位置に保たれる。これらの構造は、図示されていない。ボタン４は、中心に位置するとともに、対応する挿通孔に挿通される下向きのピンによって、シリンダ３の壁面から離れるよう制御される。
【００１５】
本発明の概念について、上述したもの以外に、異なる実施の形態が可能である。シリンダ３（中央部３）は、上述では円形であると記載したが、第２留め具部品の孔部１３に対応するよう、関連の適用例に適する他の形であってもよい。
【００１６】
形は、例えば、正方形、矩形、または楕円形であってもよく、これにより、円形の場合には可能であったシリンダ３周りの自由な回転を許容せずに、第１留め具部品と第２留め具部品とが変動する位置を、それぞれ４または２に変更することができる。
【００１７】
また他にも、接続の際に、部品間の相互位置を一箇所しか可能にしない形でもよい。また、本発明による構成は、３以上の部品を互いに接続するためにも適用することができる。
【００１８】
この構成が実現するためには、上記第１留め具部品のように実施されている部品と、２つ以上の「他の部品」とが必要であり、「他の部品」は、上記の性質を有する固定するための構造を個々に有していてもよいし、或いは、これらの「他の部品」のうち最も外側に位置するもののみが、そのような固定するための構造を有していてもよい。ロック部材の突状片９，１０のバネ付勢式機能は、異なる形のバネによって達成されてもよい。
【００１９】
本発明によると、留め具は、多くの異なる目的、例えば、ハーネス、リュックサックなどのベルトにおいて、車両、おもちゃ、乳母車、ならびに、洋服と、スポーツ、および、レジャー用の装備とにおいて、ベルト、および、バンドを固定するために用いることができる。
【００２０】
従って、留め具を構成する一方または両方の部品は、それが採用されている部分の一体的な部品を構成していてもよい。これらの適用例全てにおいて、留め具の特徴は、片手で簡便に操作でき、便利であるということである。
【図面の簡単な説明】
【００２１】
【図１】図１は、留め具の外観図である。
【図２】図２は、留め具の平面図である。
【図３】図３は、留め具の側面図である。
【図４】図４は、留め具の第１留め具部品を示す側面図である。
【図５】図５は、留め具の構成に含まれる部材を示す側面図である。
【図６】図６は、留め具の第１留め具部品の断面図である。
【図７】図７は、留め具の第２留め具部品の断面図である。
【図８】図８は、プッシュボタンを省略した留め具の第１留め具部品、および、第２留め具部品の断面図である。
【図１】
2009522523.tif 000003
【図２】
2009522523.tif 000004
【図３】
2009522523.tif 000005
【図４】
2009522523.tif 000006
【図５】
2009522523.tif 000007
【図６】
2009522523.tif 000008
【図７】
2009522523.tif 000009
【図８】
2009522523.tif 000010
【手続補正書】
【提出日】平成20年8月20日(2008.8.20)
【手続補正１】
【補正対象書類名】特許請求の範囲
【補正対象項目名】全文
【補正方法】変更
【補正の内容】
【特許請求の範囲】
【請求項１】
第１留め具部品（１）と第２留め具部品（２）とを備えて、該二つの部品を互いに接続する留め具であって、
前記第２留め具部品（２）は、固定される第１留め具部品（１）に対向して、かつ、前記第１留め具部品（１）に設けられた突出部（３）の外形に密接して接続される形状の開口部（１３）を有し、
前記突出部（３）は、前記第２留め具を保持するバネ付勢手段（８）を有し、
前記開口部により、前記第２留め具（２）は前記突出部（３）と前記バネ付勢手段（８）とを通過することができるように構成されており、
前記各留め具部品が互いに解除されるときに用いられるボタン（４）をシリンダ内に備えたことを特徴とする
留め具。
【請求項２】
前記第２留め具部品の前記開口部に構成された縁または溝（５）に係合するため、前記シリンダ内に構成された前記バネ付勢手段は、環状のバネに２つの正反対の突状片（９、１０）を含むことを特徴とする
請求項１に記載の留め具。
【請求項３】
前記バネ付勢手段（８）を作用させるために円柱状部（３）内に、ボタン（４）を配置したことを特徴とする
請求項１又は２に記載の留め具。
【請求項４】
ロッド（１６、１７）が前記ボタンの下側に配置されており、
前記ロッドが前記バネ付勢手段（８）に向かう面取りされた表面を有することを特徴する
請求項３に記載の留め具。
【国際調査報告】
2009522523.tif 000011
2009522523.tif 000012
2009522523.tif 000013